(57)【特許請求の範囲】
【請求項１】
略半球面形状を有し太陽光の反射板からなる追尾機構を内蔵した樹脂製ドームと、該樹脂製ドームの下部縁部に設けられたアール形状の下部縁部枠、並びに前記アール形状の下部縁部枠に連繋されたガラス保持枠を介して反射板ダクト枠を懸架して太陽光の採光装置本体を構成し、該太陽光の採光装置本体の四方で屋根部上部に開口部縁部立上り基台上を設けて固定した後、該立上り部材の天端と前記反射板ダクト枠間の四方に太陽光発電パネル枠を介してハカマ形状に太陽光発電パネルを設置し、該ハカマ形状の太陽光発電パネルの電力を蓄電器に蓄電して前記太陽光の追尾機構を駆動させることを特徴とする太陽光の採光システム及び発電パネルを備えたトップライト。
【請求項２】
前記立上り部材の天端と前記反射板ダクト枠間の四方に太陽光発電パネル枠を介してハカマ形状に太陽光発電パネルを設置し、該太陽光発電パネルの電力を蓄電器に蓄電し、該電力を夜間または照度低下時に室内の照明器具に供給することを特徴とする請求項１に記載の太陽光の採光システム及び発電パネルを備えたトップライト。
【請求項３】
前記立上り部材の天端と前記反射板ダクト枠間の四方に太陽光発電パネル枠を介してハカマ形状に太陽光発電パネルを設置し、該立ち上がり基台の壁部に任意間隔を有して外部換気用グリルを複数個設置するとともに、該グリルの後方に空間を有する後室を設けて、該後室の上部には上部に向かって外部より電気的又は機械的手段にて任意に開閉自在な循環口用扉、並びに外部より電気的又は機械的手段により任意にスライド開閉可能な吸気用スライド扉を設けて前記太陽光発電パネルが吸収した太陽光発電パネル内部空間室の熱負荷を軽減することを特徴とする請求項１並びに請求項２のいずれかに記載の太陽光の採光システム及び発電パネルを備えたトップライト。
【請求項４】
前記太陽光発電パネル枠を介してハカマ形状に設置される太陽光発電パネルは網入りガラスと透明ガラスからなる複層ガラス基板上に発電素子を載置して透明ガラスにて覆った構造を有していることを特徴とする請求項１乃至請求項３のいずれかに記載の太陽光の採光システム及び発電パネルを備えたトップライト。
【発明の詳細な説明】
【技術分野】
【０００１】
本発明は、太陽光の採光システム及び太陽光発電パネルを備えたトップライトに関するものであり、特に本発明は、アール形状の樹脂製ドームからなる太陽光の採光部を有し、該太陽の採光部を載置する立ち上り基台の周囲にハカマ形状の太陽光発電パネルを設置したトップライトを提供するものである。
【０００２】
また、本発明は、太陽光の追尾機構をアール形状の樹脂製トップライト内に収めた太陽光追尾型の採光システムを採用し、該太陽光の追尾型の採光装置は、太陽光の反射板を消費電力の少ない懸垂型として構成して、懸垂型の反射板の駆動は前記太陽の採光部を載置する立ち上がり基台の周囲に設けた発電パネルからの電力を利用して効率的に行うものである。
【０００３】
更に、本発明は、太陽の採光部を載置する立ち上り基台の周囲にハカマ形状の太陽光発電パネルを設置して、該基台周辺のハカマ形状下部に太陽電池パネルが吸収した太陽熱を排気する換気口や循環口を設けて太陽光発電パネルが吸収する内部空間部の熱負荷を軽減した太陽光の採光システム及び発電パネルを備えたトップライトを提供するものである。
【背景技術】
【０００４】
従来、太陽光の採光システムとして採光プリズムや反射板、或いは回転する受光ガラス開口面を有する天窓、または、トップライトと呼ばれる太陽光の採光装置は、種々のものが発明され、実用化されてきている。また、太陽光の採光プリズムや反射板、或いは受光ガラス開口面を太陽光追尾型として回動させる天窓やトップライトも実用化されている。
【０００５】
然しながら、太陽光の採光プリズムや反射板、或いは受光ガラス面を建物の屋根に設置するタイプの採光システムでは、屋根との取り合い部や、太陽光の採光用開口部分での雨仕舞い防水を屋根と同様に数十年単位で維持できる構成であること、また、太陽光の採光システムを効率良く駆動させるための電源装置や夜間照明のために蓄電装置や畜光装置が必要となる場合が多い。
【０００６】
斯くして、従来の太陽光採光装置として、太陽光の採光部にプリズムを用いた装置が、特開平０９−３０４７２２号公報（以下、特許文献１と称する）に開示されている。
【０００７】
特許文献１の発明は、太陽光を室内に採光する太陽光採光装置に関するものであり、太陽光を天窓を介して室内に採光する装置において、太陽光の照度変化及び照度低下の補償、並びに照度表現を変えられるようにしたもので、天窓から室内に亙って設けた導光ダクトに対して畜光材料を用いるように構成したものである。
【０００８】
また、特許文献１の発明において、採光部に配置される１枚、又は複数枚の採光プリズム、採光プリズムの駆動装置、制御装置、及びカバー（透明ドーム、乳白ドーム）を備えた太陽光採光装置は、採光プリズムの下方に設けられた導光ダクトにより採光プリズムからの出射光を室内に導く構成を有しており、採光プリズムはモータ等の外部電源を利用した駆動手段により回動するもので効率が悪く省エネルギー的な装置ではなかった。然し、特許文献１の発明においては、採光プリズムからの出射光を照度変化及び照度低下させることなく室内へ導くために導光ダクトに畜光材料を用いること等の工夫がなされており、省エネルギーを目指していることは自明である。
【０００９】
而して、特許文献１の発明は、採光部に１枚、又は複数枚の採光プリズム用い、該採光プリズムを駆動装置で制御することにより採光プリズムで得た出射光を室内に取入れたり、畜光材に畜光して室内に採光する装置を提供するものであるが、この装置を実際に建物の屋根に設置しようとすると、当然のことながら採光プリズムの駆動電源は、外部からの駆動用電源となり効率良い省エネルギー的な装置ではなかった。また、屋根部に採光用の開口部を設けた後、該開口部周りに立ち上がり基台を設置して透明ドームや乳白ドームで採光プリズムや採光プリズムの駆動装置を覆い、採光装置や室内に雨水が入り込まないようにする雨仕舞いの構成が当然の如く必要となる。
【００１０】
然しながら、特許文献１の発明は、採光プリズムの駆動用電源をどうするか、また、前記雨仕舞の構成が具体的に明記されておらず、当該発明は、単なる採光システムの発明を開示したものにとどまり、実際に屋根に設置できるか否かの現実的な発明とは成りえないものであった。
【００１１】
而して、太陽光発電パネルを備え、該太陽光発電パネルの電力を利用して太陽自動追尾型回転天窓装置を回転させる天窓装置が、特開２００４−１９７５４３号公報（以下、特許文献２と称する）に開示されている。
【００１２】
特許文献２の発明は、太陽光発電パネルを備え、該太陽光発電パネルの発電を利用して、太陽の移動に伴い滑らかに回転するレール形状機能と、その回転レール外部に上下部材を組み合わせ、雨水の侵入を防止する等気圧止水機能を備えたものであり、本装置上部体は、骨組み一体型アルミ押し出し部材を用いて円形状に組立て、上材と下材は回転機能を妨げないように分離し、各々取り付け後、等気圧止水機能になるような断面部材とする等、雨仕舞を最優先した機能を保有する天窓装置が開示されている。
【００１３】
従って引用文献２の発明においては、屋根との取り合い部や太陽の採光部分での雨仕舞は完璧であると思われるが、回動可能な太陽光受光ガラス開口面や円形状にアルミ押し出し形材で組み立てられる装置本体の重量は大変に重い物になりがちで、該装置本体を駆動させるための太陽光発電パネルは大容量の発電を必要とする他、その組み立てには、工数や時間が掛るばかりでなく、当然のことながら製品代も高価なものになる欠点を有している。
【先行技術文献】
【特許文献】
【００１４】
【特許文献１】特開平０９−３０４７２２号公報
【特許文献２】特開２００４−１９７５４２号公報
【発明の概要】
【発明が解決しようとする課題】
【００１５】
斯くして、本発明は、太陽光の採光機構及び太陽光発電パネルを備えたトップライトを提供するものであり、特に本発明は、アール形状の樹脂製ドームに内蔵された反射板による太陽光の追尾機構を有し、該太陽光の追尾機構を載置する立ち上り基台の周囲にハカマ形状となる太陽光発電パネルを設置した構成の安価で施工効率の良いトップライトを提供するものである。
【００１６】
また、本発明は、太陽光の採光機構をアール形状の樹脂製トップライト内に内蔵した反射板による太陽光追尾型と成し、該太陽光の追尾型の採光機構は、太陽光の反射板を消費電力の少ない懸垂型として構成して、該懸垂型の反射板の回動は、前記太陽の採光部を載置する立ち上がり基台の周囲に設けた発電パネルからの電力を利用して行う省エネルギータイプの太陽光の採光機構、及び発電パネルを備えたトップライトを提供するものである。
【００１７】
そして、本発明は、太陽の採光部を載置する立ち上り基台の周囲にハカマ形状の太陽光発電パネルを設置して、該基台周辺のハカマ形状下部に太陽電池パネルが吸収した太陽熱を排気するグリルや循環口、並びに吸気口を設けて太陽光発電パネルが吸収するパネル内部空間部の熱負荷を軽減した太陽光の採光機構、及び発電パネルを備えたトップライトを提供するものである。
【課題を解決するための手段】
【００１８】
本発明は、略半球面形状を有し太陽光の反射板からなる追尾機構を内蔵した樹脂製ドームと、該樹脂製ドームの下部縁部に設けられたアール形状の下部縁部枠、並びに前記アール形状の下部縁部枠に連繋されたアール形状の網入りガラス枠を介して反射板ダクト枠を懸架して太陽光の採光装置本体を構成し、該太陽光の採光装置本体の四方で屋根部上部に開口部縁部立上り部材上を設けて固定した後、該立上り部材の天端と前記反射板ダクト枠間の四方に太陽光発電パネル枠を介してハカマ形状に太陽光発電パネルを設置し、該ハカマ形状の太陽光発電パネルの電力を蓄電器に蓄電して前記太陽光の追尾機構を駆動させる太陽光の採光システム及び発電パネルを備えたトップライトを提供するものである。
【００１９】
また、本発明は、前記立上り部材の天端と前記反射板ダクト枠間の四方に太陽光発電パネル枠を介してハカマ形状に太陽光発電パネルを設置し、該太陽光発電パネルの電力を蓄電器に蓄電し、該電力を夜間または照度低下時に室内等の照明器具にも供給する新しいトップライトを提供するものである。
【００２０】
更に、本発明は、前記立上り部材の天端と前記反射板ダクト枠間の四方に太陽光発電パネル枠を介してハカマ形状に太陽光発電パネルを設置し、該立ち上がり部材の外壁部に任意間隔を有して外部換気用グリルを複数個設置するとともに、該グリルの後方に空間を有する後室を設けて、該後室の上部には上部に向かって電気的又は機械的手段にて任意に開閉自在な循環口用扉、並びに外部より電気的又は機械的手段にて任意にスライド開閉可能な吸気用スライド扉を設けて前記太陽光発電パネルが吸収した太陽光発電パネル内部空間室の熱負荷を軽減することができる太陽光の採光システム及び発電パネルを備えたトップライトを提供する。
【００２１】
そして、本発明において、太陽光発電パネル枠を介してハカマ形状に設置される太陽光発電パネルは、網入りガラスと透明ガラスからなる複層ガラス基板上に発電素子を載置して透明ガラスにて覆った構造を形成することで発電効率のよい発電パネルを備えたトップライトを提供するものである。
【発明の効果】
【００２２】
斯くして、本発明は、略半球面形状を有し太陽光の反射板からなる追尾機構を内蔵した樹脂製ドームと、該樹脂製ドームの下部縁部に設けられたアール形状の下部縁部枠、並びに前記アール形状の下部縁部枠に連繋されたガラス保持枠を介して反射板ダクト枠を懸架して太陽光の採光装置本体を構成し、該太陽光の採光装置本体の四方で屋根部上部に開口部縁部立上り部材上を設けて固定した後、該立上り部材の天端と前記反射板ダクト枠間の四方に太陽光発電パネル枠を介してハカマ形状に太陽光発電パネルを設置し、該ハカマ形状の太陽光発電パネルの電力を蓄電器に蓄電して前記太陽光の追尾機構を駆動させる太陽光の採光システム及び発電パネルを備えたトップライトを提供するもので、太陽光発電パネルからの電力を蓄電器に蓄電して前記太陽光の追尾機構を駆動させたり、該電力を夜間または雨天等の照度低下時に室内の照明器具に供給することできる効率のよい太陽光の採光システム及び発電パネルを備えたトップライトを提供可能にした。
【００２３】
更に、本発明は、前記立上り部材の天端と前記反射板ダクト枠間の四方に太陽光発電パネル枠を介してハカマ形状に太陽光発電パネルを設置し、該立ち上がり部材の外壁部に任意間隔を有して外部換気用グリルを複数個設置するとともに、該グリルの後方に空間を有する後室を設けて、該後室の上部には上部に向かって外部より電気的又は機械的手段にて任意に開閉自在な循環口用扉、並びに外部より電気的又は機械的手段にて任意にスライド開閉可能な吸気用スライド扉を設けて前記太陽光発電パネルが吸収した太陽光発電パネル内部空間室の熱負荷を軽減する機構を備えており、発電効率の良い太陽光発電パネルを提供可能にした。
【００２４】
そして本発明では、施工が簡単で安価な太陽光の採光システム及び発電パネルを備えたトップライトを提供にするものである。
【図面の簡単な説明】
【００２５】
【図１】本発明の実施形態を説明する正面図である。
【図２】図１の平面図である。
【図３】本発明の概要を説明する断面図である。
【図４】図２におけるＡ−Ａ断面拡大図である。
【図５】（Ａ）図２におけるＢ−Ｂ稜線部断面図である。           （Ｂ）図２におけるＣ−Ｃ中桟部断面図である。
【発明を実施するための形態】
【００２６】
本発明は、太陽光の採光機構及び太陽光発電パネルを備えたトップライトを提供するものであり、特に本発明は、アール形状の樹脂製ドームに内蔵された反射板による太陽光の追尾機構を有し、該太陽光の追尾機構を載置する立ち上り基台の周囲にハカマ形状となる太陽光発電パネルを設置した構成の太陽光の採光機構及び太陽光発電パネルを備えたトップライトを提供するものである。
【００２７】
また、本発明は、太陽光の採光機構をアール形状の樹脂製トップライト内に内蔵した反射板による太陽光追尾型として形成し、該太陽光の追尾型の採光機構は、太陽光の反射板を消費電力の少ない懸垂型として構成して、該懸垂型の反射板の回動は、前記太陽の採光部を載置する立ち上がり基台の周囲に設けた発電パネルからの電力を利用して行う省エネルギータイプの太陽光の採光機構及び発電パネルを備えたトップライトを提供するものである。
【００２８】
そして、本発明は、太陽の採光部を載置する立ち上り基台の周囲にハカマ形状の太陽光発電パネルを設置して、該基台周辺のハカマ形状下部に太陽電池パネルが吸収した太陽熱を排気するグリルや循環口、並びに吸気口を設けて太陽光発電パネルが吸収するパネル内部空間部の熱負荷を軽減した太陽光の採光機構及び発電パネルを備えたトップライトを提供するものである。
【００２９】
斯くして、本発明は、略半球面形状を有し太陽光の反射板からなる追尾機構を内蔵した樹脂製ドームと、該樹脂製ドームの下部縁部に設けられたアール形状の下部縁部枠、並びに前記アール形状の下部縁部枠に連繋されたガラス保持枠を介して反射板ダクト枠を懸架して太陽光の採光装置本体を構成し、該太陽光の採光装置本体の四方で屋根部上部に開口部縁部立上り部材上を設けて固定した後、該立上り部材の天端と前記反射板ダクト枠間の四方に太陽光発電パネル枠を介してハカマ形状に太陽光発電パネルを設置し、該ハカマ形状の太陽光発電パネルの電力を蓄電器に蓄電して前記太陽光の追尾機構を駆動させる構成であることが好ましい。
【００３０】
また、本発明は、前記立上り部材の天端と前記反射板ダクト枠間の四方に太陽光発電パネル枠を介してハカマ形状に太陽光発電パネルを設置し、該太陽光発電パネルの電力を蓄電器に蓄電し、該電力を夜間または雨天等の照度低下時に室内の照明器具にも供給する構成であることが好ましい。
【００３１】
更に、本発明は、前記立上り部材の天端と前記反射板ダクト枠間の四方に太陽光発電パネル枠を介してハカマ形状に太陽光発電パネルを設置し、該立上がり部材の壁部に任意間隔を有して外部換気用グリルを複数個設置するとともに、該グリルの後方に空間を有する後室を設けて、該後室の上部には上部に向かって外部より電気的又は機械的手段にて任意に開閉自在な循環口用扉、並びに外部より電気的又は機械的手段により任意にスライド開閉可能な吸気用スライド扉を設けて前記太陽光発電パネルが吸収した太陽光発電パネル内部空間室の熱負荷を軽減することができる太陽光の採光システム及び発電パネルを備えたトップライトであることが好ましい。
【００３２】
そして、本発明において、太陽光発電パネル枠を介してハカマ形状に設置される太陽光発電パネルは、網入りガラスと透明ガラスからなる複層ガラス基板上に発電素子を載置して透明ガラスにて覆った構造を有していることで発電効率のよい発電パネルを備えたトップライトを提供するものである。
【００３３】
而して、本発明は、略半球面形状を有し太陽光の反射板からなる追尾機構を内蔵した樹脂製ドームと、該樹脂製ドームの下部縁部に設けられたアール形状の下部縁部枠、並びに前記アール形状の下部縁部枠に連繋されたガラス保持枠を介して反射板ダクト枠を懸架して太陽光の採光装置本体を構成し、該太陽光の採光装置本体の四方で屋根部上部に開口部縁部立上り部材上を設けて固定した後、該立上り部材の天端と前記反射板ダクト枠間の四方に太陽光発電パネル枠を介してハカマ形状に太陽光発電パネルを設置し、該ハカマ形状の太陽光発電パネルの電力を蓄電器に蓄電して前記太陽光の追尾機構を駆動させる太陽光の採光システム及び発電パネルを備えたトップライトを提供するもので、太陽光発電パネルからの電力を蓄電器に蓄電して前記太陽光の追尾機構を駆動させたり、該電力を夜間または雨天時等の照度低下時に反射板ダクト枠内の照明器具に供給することできる効率のよい太陽光の採光システム及び発電パネルを備えたトップライトを提供可能である。
【００３４】
また、本発明は、前記立上り部材の天端と前記反射板ダクト枠間の四方に太陽光発電パネル枠を介してハカマ形状に太陽光発電パネルを設置し、該立上がり部材の外壁部に任意間隔を有して外部換気用ガラリを複数個設置するとともに、該ガラリの後方に空間を有する後室を設けて、該後室の上部には上部に向かって外部よりレバーハンドルにて任意に開閉自在な循環口用扉、並びに外部より摘子により任意にスライド開閉可能な吸気用スライド扉を設けて前記太陽光発電パネルが吸収した太陽光発電パネル内部空間室の熱負荷を軽減する機構を備えており、発電効率の良い太陽光発電パネルを提供可能である。
【実施例１】
【００３５】
図１及び図５は、本発明の実施例１を説明するものであり、図１は本発明の実施形態を説明する正面図であり、図２は図１の平面図、図３は本発明の概要を示す断面図、図４は図２のＡ−Ａ断面図、図５（Ａ）は図２のＢ−Ｂ断面図、図５（Ｂ）は図２のＣ−Ｃの断面図である。
【００３６】
図１及び図５において、１は採光装置本体、２は樹脂製ドーム、３は太陽光追尾機構（図３に示す)であり、該図３に示す太陽光追尾機構３は、太陽光を追尾して受光するための反射ミラー４、反射ミラー支持アーム５、反射ミラー竪軸回転駆動モーター６、反射ミラー横軸回転モーター７から構成され、該太陽光追尾機構３は、樹脂製ドーム２内で保持枠８により保持されている。
【００３７】
そして、太陽光９は樹脂製ドーム２を介して反射ミラー４に入射され、反射光ミラー４にて採光された光は反射板ダクト１０にて室内に取り入れられるものであるが、反射ミラー４は前記反射ミラー竪軸回転駆動モーター６と反射ミラー横軸回転駆動モーター７の回転を制御することにより太陽光９の入射角を追尾して効率良く太陽光９（図３に示す）を採光する。
【００３８】
斯くして、太陽光追尾機構３を内蔵した樹脂製ドーム２は、図１乃至図３に示す如く略半球面形状を有し、該樹脂製ドーム２の下部縁部には、樹脂製ドーム２の端部に沿って設けられたアルミ押出し形材製のアール形状縁部枠１１が設けられている。
【００３９】
また、前記アール形状縁部枠１１の下部には網入りガラス枠１２が連繋されており、該網入りガラス枠１２には網入りガラス１３が保持されている。そして、その外部側にガラス保持枠１４が設けてあり、該ガラス保持枠１４の下部に反射板ダクト１０を懸架するための反射ダクト枠１５ａ、１５ｂ、１５ｃ、１５ｄが少なくとも４本の下地装着金物１６ａ、１６ｂ、１６ｃ、１６ｄを介して装架されており、その下端には平面正方形の光拡散板１７を保持するための拡散板保持枠１８ａ、１８ｂ、１８ｃ、１８ｄが装着されていて、前記反射板ダクト１０は網入りガラス枠１２により下部方向に懸架された反射ダクト枠１５ａ、１５ｂ、１５ｃ、１５ｄと拡散板保持枠１８ａ、１８ｂ、１８ｃ、１８ｄにより構成される枠組み内に夫々反射板１９を嵌着し、下端の室内側面には前記光拡散板１７を嵌着して反射板ダクト１０のユニットを構成している。
【００４０】
図１乃至図３において、太陽光の採光装置本体１の四方で屋根部上部２０に開口部縁部立上り基台２１上を設けて固定した後、該開口部縁部立上り基台２１の天端に立上がり部材２２を設け、該立上がり部材２２と前記反射板ダクト枠１５ａ、１５ｂ、１５ｃ、１５ｄ間の四方に太陽光発電パネル枠２３を介してハカマ形状に太陽光発電パネル２４を設置し、該ハカマ形状の太陽光発電パネル２４からの電力を蓄電器２５に蓄電して前記太陽光の追尾機構３を駆動させるものであり、また、前記太陽光発電パネル２４からの電力は蓄電器２５に蓄電され、該電力を夜間または照度低下時に室内等に設置される照明器具２６に供給することができる。
【００４１】
尚、図１及び図２において、１４はガラス保持枠、２７は太陽光発電パネル枠２３を構成する稜線枠、２８は中桟、２９は下枠であり、前記太陽光パネル２４はパネル枠２３、稜線枠２７、中桟２８、下枠２９にて構成されたトップライト用サッシにより保持されており、例えば図２に示すように太陽の当たらない北側サッシュ面３０ａ、３０ｂ等の如く太陽光発電パネル２４を省略して単に複層網入りガラスを入れてトップライトを形成する場合もある。
【００４２】
図５（Ａ）は前記稜線枠２７部分のＢ−Ｂ断面図であり、当該部分に嵌合する太陽光発電パネル２４は、内部側から網入りガラスと透明ガラスからなる複層ガラス基板３１上に発電素子３２を載置して透明ガラス３３にて覆った構造を有しており、該構造の太陽光発電パネル２４はシール３４を介して稜線枠２７に嵌合、固着されている。
【００４３】
また、図５（Ｂ）は、前記中桟２８部分のＣ−Ｃ断面図であり、当該部分に篏合する太陽光発電パネル２４は、内部側から網入りガラスと透明ガラスからなる複層ガラス基板３１上に発電素子３２を載置して透明ガラス３３にて覆った構造を有しており、該構造の太陽光発電パネル２４はシール３４を介して中桟枠２８に嵌合、固着されている。
【００４４】
而して、図３に示す３５は屋根部上部２０を構成するスラブ、３６は屋根に太陽光発電パネル２３や採光装置本体１を設置するために開けた開口部、２１は開口部縁部廻りに設けた開口部縁部立上がり基台で、図３の例では基台２１を開口部廻りに設置した後、前記立上り部材２２を上部に設置している。
【００４５】
図４は図２のＡ−Ａ断面拡大図であり、樹脂製ドーム２の下部に装着されたアール形状縁部枠１１と網入りガラス枠１２、並びに太陽光発電パネル２４が設置されており、該太陽光発電パネル２４の下部には開口部縁部立上がり基台２１と立上がり部材２２が設置されている。
【００４６】
そして、前記、立上り部材２２は、外部に面した外壁部３７を有しており、該外壁部３７には任意間隔を有して外部換気用グリル３８ａ、３８ｂ、３８ｃ・・・を複数個設置するとともに、該グリル３８ａ、３８ｂ、３８ｃ・・・の後方に空間を有する後室３９を設けて、該後室３９の上部には上方に向かって外部より電気的又は機械的手段にて任意に開閉自在な循環口用扉４０、並びに外部より電気的又は機械的手段により任意にスライド開閉可能な吸気用スライド扉４１を設けて前記太陽光発電パネル２３が吸収した太陽光発電パネル内部空間室４２の熱負荷を軽減する機構が設けられている。
尚、４３はスラブ３５上に設けられた防水シートを示している。
【００４７】
斯くして、本発明は、略半球面形状を有した樹脂製ドーム２内に太陽光の反射ミラー４からなる追尾機構３を内蔵し、該樹脂製ドーム２の下部縁部に設けられたアール形状の下部縁部枠１１、並びに前記アール形状の下部縁部枠に連繋されたガラス保持枠１４を介して反射板ダクト枠１５ａ、１５ｂ、１５ｃ、１５ｄを懸架して太陽光の採光装置本体１を構成し、該太陽光の採光装置本体１の四方で屋根部上部２０に開口部縁部立上り基台２１を設けて固定した後、該開口部縁部立上り基台２１の上部に設けられた立上がり部材２２の天端と前記反射板ダクト枠１５ａ、１５ｂ、１５ｃ、１５ｄ間の四方に太陽光発電パネル枠２３を介してハカマ形状に太陽光発電パネル２４を設置し、該ハカマ形状の太陽光発電パネル２４の電力を蓄電器２５に蓄電して前記太陽光の追尾機構３を駆動させる太陽光の採光システム及び発電パネルを備えたトップライトである。
【００４８】
また、本発明は、立上り部材２２の天端と前記反射板ダクト枠１５ａ、１５ｂ、１５ｃ、１５ｄ間の四方に太陽光発電パネル枠２３を介してハカマ形状に太陽光発電パネル２４を設置し、該太陽光発電パネル２４の電力を蓄電器２５に蓄電し、該電力を夜間、または雨天等の照度低下時に室内等の照明器具２６にも供給できる構成を有している。
【００４９】
更に、本発明は、前記立上り部材２２の天端と前記反射板ダクト枠１５ａ、１５ｂ、１５ｃ、１５ｄ間の四方に太陽光発電パネル枠２３を介してハカマ形状に太陽光発電パネル２４を設置し、該立上がり部材２２の外壁部３７に任意間隔を有して外部換気用グリル３８ａ、３８ｂ、３９ｃ・・・を複数個設置するとともに、該外部換気用グリル３８ａ、３８ｂ、３８ｃ・・・の後方に空間を有する後室３９を設けて、該後室３９の上部には上部に向かって外部より電気的又は機械的手段にて任意に開閉自在な循環口用扉４０、並びに外部より電気的又は機械的手段により任意にスライド開閉可能な吸気用スライド扉４１を夫々設けて前記太陽光発電パネル２４が吸収した太陽光発電パネル内部空間室４２の熱負荷を軽減することができる太陽光の採光システム及び発電パネルを備えたトップライトを提供するものである。
【００５０】
そして、本発明において、太陽光発電パネル枠２３を介してハカマ形状に設置される太陽光発電パネル２４は、網入りガラスと透明ガラスからなる複層ガラス基板３１上に発電素子３２を載置して透明ガラス３３にて覆った構造を有して発電効率の良い太陽光発電パネル２４を備えた太陽光の採光システム及び発電パネルを備えたトップライトを提供するものである。
【符号の説明】
【００５１】
１  採光装置本体
２  樹脂製ドーム
３  太陽光追尾機構
４  反射ミラー
５  反射ミラー支持アーム
６  反射ミラー竪軸回転モーター
７  反射ミラー横軸回転モーター
８  保持枠
９  太陽光
１０  反射板ダクト
１１  アール形状縁部枠
１２  網入りガラス枠
１３  網入りガラス
１４  ガラス保持枠
１５ａ、１５ｂ、１５ｃ、１５ｄ  反射ダクト枠
１６ａ、１６ｂ、１６ｃ、１６ｄ  下地装着金物
１７  光拡散板
１８ａ、１８ｂ、１８ｃ、１８ｄ  拡散板保持枠
１９  反射板
２０  屋根部上部
２１  開口部縁部立上がり基台
２２  立上がり部材
２３  太陽光発電パネル枠
２４  太陽光発電パネル
２５  蓄電器
２６  照明器具
２７  稜線枠
２８  中桟
２９  下枠
３０ａ、３０ｂ  北側サッシュ面
３１  複層ガラス基板
３２  発電素子
３３  透明ガラス
３４  シール
３５  スラブ
３６  開口部
３７  外壁部
３８ａ、３８ｂ、３８ｃ・・・  外部換気用グリル
３９  後室
４０  循環口用扉
４１  吸気用スライド扉
４２  太陽光発電パネル内部空間室
４３  防水シート
【図１】
0005379215.tif 000002
【図２】
0005379215.tif 000003
【図３】
0005379215.tif 000004
【図４】
0005379215.tif 000005
【図５】
0005379215.tif 000006